(57)【要約】セル識別方法が提供される。この方法は、無線デバイスにおける受信状態を判定することと、無線デバイスにおけるサブフレーム・パラメータを、受信サイクルと比較することとを含む。この方法は更に、前記比較のための予め定められた時間内に、後続の無線セルを識別することを含む。
2011511586.tif 000002
【特許請求の範囲】
【請求項１】
無線デバイスにおける受信状態を判定することと、
前記無線デバイスにおけるパラメータと受信サイクルを比較することと、
前記比較のための予め定められた時間内に後続の無線セルを識別することと
を備えるセル識別方法。
【請求項２】
前記予め定められた時間が、移動速度あるいは環境考察を考慮して動的に調整される請求項１に記載の方法。
【請求項３】
システム・フレーム・ナンバ（ＳＦＮ）のパラメータの検知に部分的に基づいて、後続の無線セルを識別することを更に備える請求項１に記載の方法。
【請求項４】
前記受信状態が、間欠受信状態（ＤＲＸ）である請求項１に記載の方法。
【請求項５】
前記ＤＲＸが、ダウンリンク（ＤＬ）アクティブ状態と関連付けられている請求項４に記載の方法。
【請求項６】
前記予め定められた時間が、約８００ミリ秒から約３秒までの範囲を有するＴｉｄｅｎｔｉｆｙ  ｉｎｔｒａパラメータに関連付けられている請求項５に記載の方法。
【請求項７】
請求項６に記載の方法であって、
Ａ及びＸが正の整数であり、ＤＬ＿ＤＲＸ＿Ａｃｔｉｖｅ＝１、かつデバイスＤＲＸサイクル＜Ｘサブフレームの場合、前記デバイスは、Ｔｉｄｅｎｔｉｆｙ  ｉｎｔｒａ＝時間Ａしきい値内でモニタされているセットに属する新規の検知可能なセルのシステム・フレーム・ナンバ（ＳＦＮ）のパラメータを識別及び復号するプロセスを処理することを更に備える方法。
【請求項８】
ＤＬ＿ＤＲＸ＿Ａｃｔｉｖｅ＝１、かつデバイスＤＲＸサイクル≧Ｘサブフレームの場合、前記デバイスは、Ｔｉｄｅｎｔｉｆｙ  ｉｎｔｒａ＝時間Ｂ値内でモニタされているセットに属する新規の検知可能なセルのシステム・フレーム・ナンバ（ＳＦＮ）のパラメータを識別及び復号するプロセスを処理することを更に備える請求項６に記載の方法。
【請求項９】
スピード・パラメータ、検知からの時間パラメータ、更新パラメータ、あるいは雑音パラメータを分析して、前記予め定められた時間を判定することを更に備える請求項１に記載の方法。
【請求項１０】
アクティブ・セットのパラメータを分析して、前記予め定められた時間を判定することを更に備える請求項９に記載の方法。
【請求項１１】
共通パイロット・チャネル（ＣＰＩＣＨ）のパラメータに部分的に基づいて、セルを検知することを更に備える請求項１に記載の方法。
【請求項１２】
少なくとも１つの同期符号を処理して、前記検知を判定することを更に備える請求項１１に記載の方法。
【請求項１３】
前記受信サイクルが、セル関連のパラメータである請求項１に記載の方法。
【請求項１４】
前記受信サイクルが、間欠受信（ＤＲＸ）に関連する請求項１に記載の方法。
【請求項１５】
前記受信サイクルが、ＤＲＸ受信サイクルである請求項１４に記載の方法。
【請求項１６】
前記比較のパラメータが、サブフレーム内にある請求項１に記載の方法。
【請求項１７】
前記比較は、予め定められた数のサブフレームとＤＲＸサイクルを比較することを更に備える請求項１６に記載の方法。
【請求項１８】
ＤＲＸステータスをモニタし、サブフレームの数とパラメータを比較し、前記比較の後に時間パラメータを調整するための命令群を保持するメモリと、
前記命令群を実行するプロセッサと
を備える通信装置。
【請求項１９】
前記時間パラメータが、移動速度あるいは環境考察を考慮して動的に調整される請求項１８に記載の装置。
【請求項２０】
システム・フレーム・ナンバ（ＳＦＮ）のパラメータの検知に部分的に基づいて、後続の無線セルを識別する構成要素を更に備える請求項１８に記載の装置。
【請求項２１】
前記受信ステータスが間欠受信状態（ＤＲＸ）である請求項１８に記載の装置。
【請求項２２】
前記予め定められた時間が、約８００ミリ秒から約３秒までの範囲を有するＴｉｄｅｎｔｉｆｙ  ｉｎｔｒａパラメータに関連付けられている請求項１８に記載の装置。
【請求項２３】
Ａ及びＸは正の整数であり、ＤＬ＿ＤＲＸ＿Ａｃｔｉｖｅ＝１かつデバイスＤＲＸサイクル＜Ｘサブフレームの場合、前記デバイスは、Ｔｉｄｅｎｔｉｆｙ  ｉｎｔｒａ＝時間Ａしきい値内でモニタされているセットに属する新規の検知可能なセルのシステム・フレーム・ナンバ（ＳＦＮ）のパラメータを識別及び復号するというプロセスを処理する構成要素を更に備える請求項２２に記載の装置。
【請求項２４】
ＤＬ＿ＤＲＸ＿Ａｃｔｉｖｅ＝１かつデバイスＤＲＸサイクル≧Ｘサブフレームの場合、前記デバイスは、Ｔｉｄｅｎｔｉｆｙ  ｉｎｔｒａ＝時間Ｂ値内でモニタされているセットに属する新規の検知可能なセルのシステム・フレーム・ナンバ（ＳＦＮ）のパラメータを識別及び復号するプロセスを処理する構成要素を更に備える請求項２３に記載の装置。
【請求項２５】
セル関連のパラメータである受信サイクルを更に備える請求項１８に記載の装置。
【請求項２６】
前記受信サイクルが、間欠受信（ＤＲＸ）に関連する請求項２５に記載の装置。
【請求項２７】
前記受信サイクルが、ＤＲＸサイクルである請求項２５に記載の装置。
【請求項２８】
前記パラメータが、サブフレーム内にある請求項１８に記載の装置。
【請求項２９】
予め定められた数のサブフレームとＤＲＸサイクルを比較することを含む比較を更に備える請求項２８に記載の装置。
【請求項３０】
ＤＲＸ制御からのステータスをモニタする手段と、
前記ＤＲＸ制御からのＤＲＸサイクル・パラメータを、サブフレームの数と比較する手段と、
前記ＤＲＸ制御に部分的に基づいて、システム・フレーム・ナンバを復号する手段と
を備える通信装置。
【請求項３１】
ＤＲＸステータスがアクティブな場合に、ＤＲＸサイクル・チェックを開始することと、
ＤＲＸサイクル・パラメータがしきい値を下回る場合、時間値を時間Ａ値に設定することと、
ＤＲＸサイクル・パラメータが前記しきい値を上回る場合、前記時間値を時間Ｂ値に設定することと、
新規セル検知シーケンスを導くために前記時間値を使用することと
を備えるコンピュータ読取可能媒体。
【請求項３２】
前記検知シーケンスが、システム・フレーム・ナンバのパラメータに部分的に基づく請求項２１に記載のコンピュータ読取可能媒体。
【請求項３３】
前記時間値が、ユーザによって動的に調整及び設定される請求項２１に記載のコンピュータ読取可能媒体。
【請求項３４】
ＤＲＸサイクル・パラメータを処理し、
前記ＤＲＸサイクル・パラメータがしきい値を下回る場合、時間値を時間Ａ値に設定し、
前記ＤＲＸサイクル・パラメータが前記しきい値を上回る場合、前記時間値を時間Ｂ値に設定し、
システム・フレーム・ナンバ（ＳＦＮ）のパラメータからトリガされる新規セルの検知を開始するために前記時間値を使用する
ための命令群を実行するプロセッサ。
【発明の詳細な説明】
【関連出願に対する相互参照】
【０００１】
本特許出願は２００８年２月４日に提出された” SUITABLE TRIGGER MECHANISM TO CONTROL NEW CELL IDENTIFICATION IN UE WHEN IN DRX MODE”と題された米国特許仮出願６１／０２６，１２５号による利益を主張する。上記出願の全文は参照によって本明細書に組み込まれる。
【技術分野】
【０００２】
以下に続く説明は、一般に無線通信システムに関する。特に、モバイル・デバイスにおける節電を容易にし、更に適切なセル識別動作を可能にするためにセル識別時間を調整するパラメータ及びプロトコルに関する。
【背景技術】
【０００３】
無線通信システムは、音声、データといったような、多様な種類の通信コンテンツを供給するために幅広く開発されている。これらのシステムは使用可能なシステム・リソース（例えば、帯域幅及び送信電力）を共有することによって複数のユーザとの通信を支援する事が可能な多元接続システムでありうる。こういった多元接続システムの実例は、符号分割多元接続（ＣＤＭＡ）システム、時分割多元接続（ＴＤＭＡ）システム、周波数分割多元接続（ＦＤＭＡ）システム、Ｅ−ＵＴＲＡを含む３ＧＰＰロング・ターム・エボリューション・システム（ＬＴＥ）及び直交周波数分割多元接続（ＯＦＤＭＡ）システムを含む。
【０００４】
直交周波数分割多重化（ＯＦＤＭ）通信システムは、システム帯域幅全体を複数（ＮＦ個）の副搬送波へ効率的に分割する。副搬送波は、周波数サブチャネル、トーン、あるいは周波数値域とも称されるＯＦＤＭシステムにおいては、送信されるデータ（すなわち情報ビット）は、まず特定の符号化スキームを用いて符号化され、符号化されたビットは更にマルチビット・シンボルへとグループ化される。その後、マルチビット信号は変調信号へマップされる。各変調信号は、データ送信のために使用される特定の変調スキーム（例えば、Ｍ−ＰＳＫあるいはＭ−ＱＡＭ）によって定義された信号コンステレーションにおけるポイントに対応する。各周波数副搬送波の帯域幅に依存しうる各時間インターバルにおいて、変調信号はＮＦ個の副搬送波の各々で送信されうる。このように、ＯＦＤＭは周波数選択性フェージングによって引き起こされるシンボル間干渉（ＩＳＩ）に対処するために使用される。周波数選択性フェージングは、システム帯域幅にわたる異なる減衰量によって特徴付けられる。
【０００５】
一般に、無線多元接続通信システムは複数の無線端末への通信を同時に支援しうる。無線端末は、フォワード・リンク及びリバース・リンクによる送信によって１つ又は複数の基地局と通信する。フォワード・リンク（すなわちダウンリンク）は基地局から端末への通信リンクを称し、リバース・リンク（すなわちアップリンク）は端末から基地局への通信リンクを称する。この通信リンクは単一入力単一出力システム、複数入力単一出力システム、及び複数入力複数出力（ＭＩＭＯ）システムによって確率される。
【０００６】
ＭＩＭＯシステムはデータ送信の為に複数(ＮT)個の送信アンテナと複数(ＮR)個の受信アンテナを使用する。ＮT個の送信アンテナとＮR個の受信アンテナによって形成されるＭＩＭＯチャネルは空間チャネルとも称されるＮS個の独立チャネルへと分解されうる。ここでは、ＮＳ≦ｍｉｎ｛ＮＴ，ＮＲ｝である。一般に、各ＮS個の独立チャネルは１つのディメンションに対応している。複数の送信アンテナと受信アンテナによって作られた追加ディメンションが使用されると、ＭＩＭＯシステムは向上された性能（例えば、より大きいスループット、および、又は、より高い信頼性）を提供しうる。ＭＩＭＯシステムは時分割二重通信（ＴＤＤ）システムと周波数分割二重通信（ＦＤＤ）システムとを支援する。ＴＤＤシステムにおいて、フォワード・リンク送信とリバース・リンク送信は同じ周波数領域にあるため、相反原理によってリバース・リンク・チャネルからフォワード・リンク・チャネルを推定することが可能となる。これによって、複数のアンテナがアクセス・ポイントにおいて使用可能な場合、アクセス・ポイントはフォワード・リンクで送信ビームフォーミング利得を抽出できるようになる。
【０００７】
無線通信動作の１つの態様は、電力を節約するために周期的にスイッチをオフにすることを可能にする無線デバイスの機能を含む。非アクティブの期間あるいは状態は、間欠受信あるいはＤＲＸと称される。理想的には、無線デバイスは、充電が必要になるまでの間の長いバッテリー寿命を増進するために、可能な限りこの期間を保持しうる。しかし、デバイスが長すぎる期間アイドル状態あるいはオフ状態に保たれていると、デバイスの移動期間中にエリア・セルとの望まれた通信を見落す可能性がある。
【発明の概要】
【０００８】
以下の記述は、本願の主題に関するいくつかの態様の基礎的な理解を提供するために、簡略化された概要を提示する。この概要は、広範囲にわたる要旨ではなく、重要／決定的な要素を明らかにすることも、本願の主題の範囲を示すことも意図されていない。この記述は、後に提示される更に詳細な説明の序文として、簡略化された形式でいくつかの概念を提示することを唯一の目的としている。
【０００９】
このシステム及び方法は、移動期間中のセル検知を容易にするため、及び電力節約のために妥当な時間を提供するために、無線受信機における新規セルの識別時間を調整するために提供される。受信機が近隣セルを識別するための時間量を増やすために、間欠受信（ＤＲＸ）動作が受信機において動的に調整される。様々なネットワーク・パラメータが、調整を判定するために分析される。ここでは、これらパラメータは受信機におけるダウンリンクＤＲＸアクティブ期間およびＤＲＸサイクル時間と関連する。別のパラメータは、新規に検知可能なセルのための識別子であるシステム・フレーム・ナンバ（ＳＦＮ）である。一般に、ＤＲＸ時間は、望まれた期間内（例えば、予め定められた数のサブフレーム期間内）にＳＦＮが復号されることを可能にするために調整される。この方式でＤＲＸ切換時間を調整することによって、受信機において節電されながら、特に移動速度がより高速な間、新規セルの検知が促進される。
【００１０】
前述された目的、及びそれに関連する目的の達成のために、特定の例示的な態様が、以下の説明及び添付された図面と関連付けて、本明細書において説明されるしかし、これらの態様は、本願の主題の原理が使用されている様々な手法のうちのいくつかを示しているに過ぎず、本願の主題は、このような態様及びそれらと同等のもの全てを含むよう意図されている。その他の利点及び新規の特徴は、図面と関連付けて解釈された場合に、以下の詳細な説明によって明確になりうる。
【図面の簡単な説明】
【００１１】
【図１】図１は、新規の無線セルを検知するため、及びユーザ機器における電力を軽減するために、セル識別復号器及びＤＲＸ制御を使用するシステムの高レベル・ブロック図である。
【図２】図２は、無線セル識別方法を例示したフロー図である。
【図３】図３は、セル識別パラメータ調整に関する様々な環境的考察を例示した図である。
【図４】図４は、セル識別パラメータ調整に関する様々な環境的考察を例示した図である。
【図５】図５は、セル識別パラメータ調整に関する様々な環境的考察を例示した図である。
【図６】図６は、セル識別パラメータ調整に関する様々な環境的考察を例示した図である。
【図７】図７は、セル識別パラメータ調整に関する様々な環境的考察を例示した図である。
【図８】図８は、セル識別のための実例的通信装置を例示している。
【図９】図９は、多元接続無線通信システムを例示している。
【図１０】図１０は、実例的通信システムを例示している。
【図１１】図１１は、実例的通信システムを例示している。
【図１２】図１２は、セル識別のための実例的論理モジュールを例示している。
【発明を実施するための形態】
【００１２】
システム及び方法は、新規無線セルの効率的な検知を支援し、無線デバイスにおける電力損失を軽減するために提供される。１つの態様において、セル識別方法が提供される。この方法は、無線デバイスにおいて受信状態を判定することと、無線デバイスにおいて受信サイクルをサブフレーム・パラメータと比較することを含む。この方法は、この比較のための予め定められた時間内に、後続の無線セルを識別することも含む。この予め定められた時間は、移動速度あるいはその他の環境的考察（例えば、雑音、ネットワークの混雑等）を考慮して動的に調整されうる。
【００１３】
図１に関して、システム１００は、新規無線セルを検知するため、及びユーザ機器における電力を軽減するためにＤＲＸ制御を有するセル識別復号器１０２を使用する。システム１００は、１あるいは複数の（ｅｖｏｌｖｅｄ  ｎｏｄｅ  ＢすなわちｅＮＢというノードとも称される）基地局１２０を含む。これは、無線ネットワーク１１０を介して第２のデバイス１３０（あるいは複数のデバイス）と通信することが可能なエンティティでありうる。例えば、各デバイス１３０は、（端末、ユーザ機器、移動管理エンティティ（ＭＭＥ）、あるいはモバイル・デバイスとも称される）アクセス端末でありうる。基地局１２０は、ダウンリンク１４０（ＤＬ）を介してデバイス１３０と通信し、アップリンク１５０（ＵＬ）を介してデータを受信する。アップリンク及びダウンリンクのような名称は任意であるので、デバイス１３０はダウンリンクを介してデータを送信し、アップリンク・チャネルを介してデータを受信することもありうる。２つの構成要素１２０、１３０が示されているが、３つ以上の構成要素がネットワーク１１０上で使用されうるということが留意されるべきである。ここでは、このような追加の構成要素は本明細書で説明されるセル識別のために適合されうる。先へ進む前に、様々なアクロニムが簡潔化のために使用されているということが留意されるべきである。このアクロニムは、最初に定義されない場合は、本明細書の最後で定義される。
【００１４】
システム１００によって、デバイスが、移動期間中のセル検知を容易にするため、及び電力節約のために妥当な時間を提供するために、新規セルの識別時間を調整することが可能になる。デバイスが、近隣セルを識別せねばならない時間量を増やすために、間欠受信（ＤＲＸ）動作がデバイス１３０において動的に調整される。様々なネットワーク・パラメータ１６０が、調整を判定するために分析される。ここで、パラメータは、デバイス１３０におけるダウンリンクＤＲＸアクティブ期間およびＤＲＸサイクル時間と関連する。別のパラメータ１６０は、新規に検知可能なセルのための識別子であるシステム・フレーム・ナンバ（ＳＦＮ）である。一般に、ＤＲＸ時間は、望まれた期間内（例えば、予め定められた数のサブフレーム期間内）にＳＦＮが１０２で復号されるように調整される。この方式でＤＲＸ切換時間を調整することによって、受信機において節電されながら、特に移動速度がより高速である間、新規セルの検知が促進される。
【００１５】
一般に、ネットワーク１１０を介する連続パケット接続（ＣＰＣ）は、省電力を目的とした非アクティビティ期間中に、ＵＥ１３０が受信機をオフ（ＤＲＸ）に切り換えうるという可能性を導入する。１つの仕様は、ＵＥ１３０が、モニタされているセットに属する新規の検知可能なセルのＳＦＮを、時間Ｔｉｄｅｎｔｉｆｙ  ｉｎｔｒａ内に識別及び復号できることを必要とする。例えば、ＤＬ＿ＤＲＸ＿Ａｃｔｉｖｅ＝１のようなステータス信号の場合、例えば、移動及び性能に作用しうる連続パケット接続のパラメータ化によって、Ｔｉｄｅｎｔｉｆｙ  ｉｎｔｒａが６秒までの値を有することがありうる。
【００１６】
動作及び電力の問題を解消するために、様々なパラメータが、下記で説明されるネットワーク・スタディに一部基づいて調整されうる。このように、ステータスがＤＬ＿ＤＲＸ＿Ａｃｔｉｖｅ＝１の場合、ＵＥ１３０は、ＵＥ  ＤＲＸサイクル＜１０サブフレームの場合に８００ミリ秒（ｍｓ）（あるいはその他の期間）内、及びＵＥ  ＤＲＸサイクル＞１０サブフレームの場合に１．５秒（ｓ）であるセル検知時間内に新規の検知可能なセルのＳＦＮを識別及び復号する。その他の時間範囲（例えば、最短２００ミリ秒まで及び最長４秒まで）が選択されうることが認識されるべきである。代替的に、復号時間は動的に設定されうる。ここで、ＵＥは検知された条件あるいはその他の考察（例えば、これらの時間セッティングを利用するラッシュ・アワー中の、モバイル・デバイスにおける、例えばポリシー・セッティング）に基づいて、時間を調整する。以下の記述は無線ネットワークを介して使用されるその他のパラメータ化に関連する様々なニュアンスを説明する。
【００１７】
ＣＥＬＬ＿ＤＣＨ状態の間、ＵＥ１３０は、識別されたイントラ周波数セルを測定し、新規のイントラ周波数セルを求めて、モニタリングしているセットをサーチする。ネットワーク１１０が、ＵＥ１３０に対して、検知されたセット・セルを報告するように要求する場合、ＵＥは、イントラ周波数セルを求めて、モニタされているセット及びアクティブ・セット外もサーチしうる。アクティブ・セット内にもモニタされているセット内にも含まれず、ＵＥ１３０によって識別されるセルが、１つの仕様に従って、検知されたセットに属する。圧縮モードのパターン・シーケンスがアクティベートされた場合、イントラ周波数の測定はアクティブ・セット・セルからのデータ受信のための送信ギャップ間で同時に実行されうる。
【００１８】
ＤＬ＿ＤＲＸ＿Ａｃｔｉｖｅ＝１で、ＵＥがＤＲＸを実行している場合、イントラ周波数の測定が、受信機がアクティブな場合に、アクティブ・セット・セルからの受信データに対して実行されうる。
【００１９】
ＤＬ＿ＤＲＸ＿Ａｃｔｉｖｅ＝０の場合、ＵＥは、モニタされているセットに属する新規の検知可能なセルのＳＦＮを  
【数１】
2011511586.tif 000003
【００２０】
内に、識別及び復号しうる。
【００２１】
一般に、又、権利を主張されている主題によると、ＤＬ＿ＤＲＸ＿Ａｃｔｉｖｅ＝１で、かつＵＥ  ＤＲＸサイクル＜１０サブフレームの場合、（時間Ａとも称される）Ｔｉｄｅｎｔｉｆｙ  ｉｎｔｒａ＝８００ｍｓ内にモニタされているセットに属する新規の検知可能なセルのＳＦＮを、ＵＥは識別及び復号しうる。ＤＬ＿ＤＲＸ＿Ａｃｔｉｖｅ＝１で、かつＵＥ  ＤＲＸサイクル≧１０サブフレームの場合、（時間Ｂとも称される）Ｔｉｄｅｎｔｉｆｙ  ｉｎｔｒａ＝１．５ｓ内にモニタされているセットに属する新規の検知可能なセルのＳＦＮを、ＵＥは識別及び復号しうる。その他の値が時間Ａ及び／あるいは時間Ｂについて、構成あるいは動的に設定されるということが認識されるべきである。
【００２２】
少なくとも１つのチャネル・タップについて、  
・ＤＬ＿ＤＲＸ＿Ａｃｔｉｖｅ＝０であれば、ＣＰＩＣＨ Ｅｃ／Ｉｏ ＞ −２０ ｄＢである場合、あるいは、ＤＬ＿ＤＲＸ＿Ａｃｔｉｖｅ＝１であれば、ＣＰＩＣＨ Ｅｃ／Ｉｏ  ≧＞−１７ｄＢ である場合、  
・ＤＬ＿ＤＲＸ＿Ａｃｔｉｖｅ＝０であれば、    ＳＣＨ Ｅｃ／Ｉｏ ＞ −２０ ｄＢである場合、あるいは、ＤＬ＿ＤＲＸ＿Ａｃｔｉｖｅ＝１であれば、ＳＣＨ Ｅｃ／Ｉｏ  ≧＞−１７ｄＢ  
である場合に、セルは検知可能であると見なされ、ＳＣＨ＿Ｅｃ／Ｉｏｒが、１次同期符号と２次同期符号とに分けられる。Ｌ３フィルタリングが使用される場合、追加の遅延が期待されうる。
【００２３】
コンフリクトが生じた場合、圧縮されたギャップ・シーケンスがアクティベートされると、ＵＥはＳＦＮの復号を優先させることを選択しうる。ＵＥは、ＣＰＩＣＨ Ｅｃ／Ｉｏ ＞ −２０ ｄＢ、ＳＣＨ＿Ｅｃ／Ｉｏ ＞ −１７ ｄＢ、かつＳＣＨ＿Ｅｃ／Ｉｏｒが１次同期符号と２次同期符号とに分けられている場合、Ｔｉｄｅｎｔｉｆｙ  ｄｅｔｅｃｔｅｄｓｅｔ＝３０ｓ内に、モニタされているセットに属さない新規の検知可能なセルを識別できるものとする。Ｌ３フィルタリングが使用される場合、追加の遅延が期待されうる。
【００２４】
ＵＥがＩＰＤＬの測定を支援している場合、及び１スロットの長さを持つアイドル期間がスケジュールされている場合、ＵＥ物理レイヤは、  
Ｔｉｄｅｎｔｉｆｙ，ＩＰＤＬ＝Ｍａｘ｛ＴＭｅａｓｅｒｅｍｅｎｔ＿Ｐｅｒｉｏｄ Ｉｎｔｒａ,ＴＩＰＤＬ｝ ｍｓ  
内に、新規セルを識別し、ＳＦＮ−ＳＦＮ観測時間差タイプ２測定値を報告しうる。
【００２５】
ここで、ＴＭｅａｓｕｒｅｍｅｎｔ＿Ｐｅｒｉｏｄ  Ｉｎｔｒａ＝イントラ周波数ＣＰＩＣＨ測定のための測定期間であり、ＴＩＰＤＬは、下記の表において与えられたＵＥ位置測定ＯＴＤＯＡ近隣セル情報で与えられるサーチ・ウィンドウ・サイズに依存しうる。  
【表１】
2011511586.tif 000004
【００２６】
ＣＥＬＬ＿ＤＣＨ状態において、イントラ周波数測定のための測定期間は、例えば、２００ｍｓである。何れの送信ギャップ・パターン・シーケンスもアクティベートされず、かつＤＬ＿ＤＲＸ＿Ａｃｔｉｖｅ＝０の場合、ＵＥは、８つの識別されたイントラ周波数セルからなるモニタされているセット及び／あるいはアクティブ・セットに対するＣＰＩＣＨ測定を実行することが可能であり、ＵＥ物理レイヤは、２００ｍｓの測定期間でより高位のレイヤに測定値を報告することが可能である。１あるいは複数の送信ギャップ・パターン・シーケンスがアクティベートされる場合、及び／あるいはＤＬ＿ＤＲＸ＿Ａｃｔｉｖｅ＝１の場合、ＵＥは、少なくともＹｍａｓｅｓｕｒｅｍｅｎｔ  ｉｎｔｒａ個のセルに対するＣＰＩＣＨ測定を実行することが可能である。ここで、Ｙｍａｓｅｓｕｒｅｍｅｎｔ  ｉｎｔｒａは下記の方程式で定義される。
【００２７】
ＵＥがＹｍａｓｅｓｕｒｅｍｅｎｔ  ｉｎｔｒａ個より多くのセルを識別した場合、ＵＥは識別されたセルの測定を実行するものとするが、レイヤから高位のレイヤへの、セルのＣＰＩＣＨ測定の報告率は低下する。  
【数２】
2011511586.tif 000005
【００２８】
ここで、  
Ｘｂａｓｉｃ  ｍｅａｓｕｒｅｍｅｎｔ  ＦＤＤ＝８（個のセル）  
ＴＭｅａｓｕｒｅｍｅｎｔ＿Ｐｅｒｉｏｄ  Ｉｎｔｒａ＝２００ｍｓ。これは、イントラ周波数ＣＰＩＣＨ測定のための測定期間である。  
ＴＩｎｔｒａ：これは、イントラ周波数測定のために、任意に選ばれたタイミングを伴う、測定期間中の利用可能な時間である。ＤＬ＿ＤＲＸ＿Ａｃｔｉｖｅ＝１である場合、及びＵＥがＤＲＸを実行している場合、受信機がアクティブであること、及びアクティブ・セット・セルからの同時データ受信が保証されていると、イントラ周波数測定が実行されると仮定される。ＤＬ＿ＤＲＸ＿Ａｃｔｉｖｅ＝０である場合、Ｔｂａｓｉｃ  ｉｄｅｎｔｉｆｙ  ＦＤＤ，ｉｎｔｒａ＝８００ｍｓ、あるいはＤＬ＿ＤＲＸ＿Ａｃｔｉｖｅ＝１である場合、Ｔｂａｓｉｃ  ｉｄｅｎｔｉｆｙ  ＦＤＤ，ｉｎｔｒａ＝３００ｍｓである。これは、ＵＥが新規のＦＤＤセルを識別するための許容時間が定義されるイントラ周波数方程式において使用される期間である。
【００２９】
ＵＥ１３０は、検知されたセットのうちの、少なくとも１つの検知されたイントラ周波数セルに対するＣＰＩＣＨ測定を実行することが可能であり、ＵＥ物理レイヤは、例えば、１０ｓの測定期間で、高位のレイヤに測定値を報告することが可能である。
【００３０】
システム１００が、アクセス端末あるいはモバイル・デバイスを伴って使用されうるということと、システム１００が、例えば、ＳＤカード、ネットワーク・カード、無線ネットワーク・カード、（ラップトップ、デスクトップ、情報携帯端末（ＰＤＡ）を含む）コンピュータ、モバイル電話、スマート電話、あるいはネットワークにアクセスするために活用されうるその他任意の適切な端末のようなモジュールでありうる、ということが留意される。端末は、アクセス構成要素（図示されず）を経由してネットワークにアクセスする。１つの実例において、端末とアクセス構成要素との間の接続は、事実上無線でありうる。ここで、アクセス構成要素は、基地局でありうるし、モバイル・デバイスは無線端末である。例えば、端末及び基地局は、時分割多元接続（ＴＤＭＡ）システム、符号分割多元接続（ＣＤＭＡ）システム、周波数分割多元接続（ＦＤＭＡ）システム、直交周波数分割多重方式（ＯＦＤＭ）、ＦＬＡＳＨ  ＯＦＤＭ、直交周波数分割多元接続（ＯＦＤＭＡ）システム、あるいはその他任意の適切なプロトコルを含むが、これらに限定はされない任意の適切な無線プロトコルによる方式によって、通信しうる。
【００３１】
アクセス構成要素は、有線ネットワークあるいは無線ネットワークに関連付けられたアクセス・ノードでありうる。この目的を達成するために、アクセス構成要素は、例えば、ルータやスイッチ等でありうる。アクセス構成要素は、他のネットワーク・ノードと通信するために、１あるいは複数の、例えば通信モジュールのような、インタフェースを含みうる。加えて、アクセス構成要素は、セルラ・タイプ・ネットワークにおける基地局（あるいは無線アクセス・ポイント）でありうる。ここで、基地局（あるいは無線アクセス・ポイント）は、無線カバレッジ・エリアを複数の加入者に提供するために活用される。このような基地局（あるいは無線アクセス・ポイント）は、隣接するカバレッジ・エリアを１あるいは複数のセルラ電話及び／あるいはその他の無線端末に提供するように構成されうる。
【００３２】
図２に関して、無線通信方法体系が例示されている。説明の簡略化を目的として、この方法体系（及び本明細書で説明されるそのたの方法体系）が、動作の連続として示され説明されている一方で、方法体系はその動作の順序によって限定されないので、いくつかの動作が、１あるいは複数の実施形態に従って、本明細書において示され説明されるそのその他の実施形態とは異なる順序で、及び／あるいはそれらと同時に生じうるということが正しく理解される。例えば、相互関係を有する状態あるいはイベントの連続として、方法体系が状態図におけるように、代替的に表されるということを当業者は正しく理解するだろう。更に、本願の主題に従う方法体系を実施するために、例示される動作の全てが活用されるわけではない。
【００３３】
２１０に進むと、ＤＲＸステータスが、無線デバイスによってモニタされる。前述したように、このようなステータスは、ダウンリンク・チャネルでモニタされ、デバイスのアクティブ状態を示しうる。２２０において、ＤＲＸサイクル・パラメータが、所定の数のサブフレーム（例えば、１０サブフレーム）と比較される。２３０において、ＤＲＸサイクル・パラメータが所定のしきい値（例えば、１０サブフレーム）未満である場合、処理は２４０へ進む。２４０において、ＳＦＮが予め定められた時間Ａ内に識別され復号される。前述したように、時間Ａに対する１つの実例的な時間は８００ｍｓである。２３０において、ＤＲＸサイクル・パラメータが予め定められたサブフレーム数以上である場合、処理は２５０へと進む。２５０において、ＳＦＮが予め定められた時間Ｂ内に識別され復号される。前述したように、時間Ｂに対する１つの実例的な時間は１．５ｓである。このようなしきい値は、マニュアルで、あるいは動的に変化しうる。例えば、２５０において、時間Ｂは３秒あるいはその他の値に調整されうる。複数の異なるしきい値が設定されうる。一般に、処理２００は、以下の方程式によって導かれうる。
【００３４】
（２１０において）ＤＬ＿ＤＲＸ＿Ａｃｔｉｖｅ＝１であり、（２３０において）デバイスＤＲＸサイクル＜１０サブフレームである場合、デバイスは、例えばＴｉｄｅｎｔｉｆｙ  ｉｎｔｒａ＝８００ｍｓ内に、モニタされているセットに属する新規の検知可能なセルのＳＦＮを識別および復号するべきである。（２１０において）ＤＬ＿ＤＲＸ＿Ａｃｔｉｖｅ＝１であり、（２３０において）デバイスＤＲＸサイクル≧１０サブフレームである場合、デバイスは、例えばＴｉｄｅｎｔｉｆｙ  ｉｎｔｒａ＝１．５ｓ内に、モニタされているセットに属する新規の検知可能なセルのＳＦＮを識別および復号するべきである。
【００３５】
本明細書において説明される技術は、様々な手段によって実施されうる。例えば、これらの技術は、ハードウェア、ソフトウェア、あるいはそれらの組合せにおいて実施されうる。ハードウェアにおける実施では、１あるいは複数のアプリケーション特有集積回路（ＡＳＩＣ）、デジタル信号プロセッサ（ＤＳＰ）、デジタル信号処理デバイス（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、本明細書で説明される機能を実行するように設計されたその他の電子ユニット、あるいはそれらの組合せ内で、処理ユニットが実現されうる。ソフトウェアでは、実施は、本明細書で説明された機能を実行する（例えば、手順、機能などのような）モジュールによってなされる。ソフトウェア・コードはメモリ・ユニットに格納され、プロセッサによって実行されうる。
【００３６】
図３乃至図７は、セル識別パラメータ調整に関連する様々な環境考察を例示した図であり、本明細書においてまとめて説明される。ＤＲＸ能力を伴うＵＥのための新規セルの識別時間の選択は、移動環境におけるバッテリー寿命と性能との間の興味深い妥協点をもたらす。一般に、ＤＲＸがアクティブな場合、異なる（上記でＴｉｄｅｎｔｉｆｙ  ｉｎｔｒａと称された）Ｔｂａｓｉｃ  ｉｄｅｎｔｉｆｙが使用され、これによって、追加の電力節約の機会がいくつか可能となる。１つの態様では、実際の識別時間が、実際の受信機アクティビティ要素あるいはシグナルされたいくつかのアクティビティ要素のどちらかによって更にスケールされることがない。これは、任意の周波数間の測定値ギャップのためにスケールされるべきである。実行されたフィールド・スタディから、ＤＲＸがアクティブな場合に適切なＴｂａｓｉｃ  ｉｎｄｅｎｔｉｆｙは、妥当な移動性能を提供しながらも電力節約の機会をいくらか可能にするために、３秒のオーダとなりうる。強化されたＵＥ  ＤＲＸのためのＣＰＣ−Ｓｉｎｔｒａのような、しきい値が追加されうる。しかし、少なくとも、サービス提供しており、かつアクティブ・セットにあるセルは、劣化していないことを確認するために、かなり頻繁に測定される必要があるので、そのようなスキームによる利益が更に理解されるべきである。
【００３７】
図３乃至図７において表される以下のデータは、図３の３００において示されたような、固定環境と移動環境との組合せを表している。図３の３１０において、新規セルの検知からアクティブ・セットの更新まで要される時間のｐｄｆ及びｃｄｆが、測定データから（イベント１Ａあるいはイベント１Ｃの何れかによって）例示されている。図４は４００で、図３と同様の、しかし異なる街（イギリス、ロンドン）からの統計値を例示している。このＣＤＦも同様の傾向を示している。しかし、この２つのＣＤＦの間の１０パーセンタイル・ポイントとそれ以下における違いと同様に、メジアン（６秒対２５秒）における差分に注意したい。特に、以下を観察されたい。  
・セルの検知からアクティブ・セット更新（ＡＳＵ）までの時間が、０．５ｓと１ｓとの間である確率は、１２．５％に等しい。  
・セルの検知からＡＳＵまでの時間が１ｓと１．５ｓとの間である確率は、９％に等しい。
【００３８】
さらに、図５の５００及び図５１０において、検知からＡＳＵまでの時間が＜３ｓ及び＜１．５ｓである場合の、ＡＳＵより前のアクティブ・セット・サイズの配分が図表でそれぞれ表されている。
【００３９】
図５の５１０において、ＣＳボイス・オーバＨＳすなわちＨＳモードのＶｏＩＰのようなリアル・タイム・サービスが使用されうる。新規セルが検知されてからそのセルがアクティブ・セットに加えられる時、すなわち、時間においてフェアなパーセンテージ（１４％）時、アクティブ・セット・サイズは１に等しい。ＨＳモードにおいては、ＤＬにソフト・ハンドオフは通常存在しない。さらに、アクティブ・セット・サイズが１に等しい場合、新規セルが時間内に検知されない限り、サービス提供中のセルの信号が微弱になった場合に、このサービス提供中のセルの変化に対するスコープは一般に存在しない。
【００４０】
図６の６００、及び図７の７００と７１０において、以下の項目が例示されている。  
・検知からアクティブ・セット更新までの時間＜１．５秒、かつアクティブ・セット・サイズ＝１の場合の、アクティブ・セット更新（ＡＳＵ）より前のサービス提供中のセルのＥｃ／Ｎｏのｐｄｆ／ｃｄｆ。  
・検知からアクティブ・セット更新までの時間＜１．５秒、かつアクティブ・セット・サイズ＝１の場合の、新規セルがアクティブ・セットに加えられる前の新規セルのＥｃ／Ｎｏのｐｄｆ／ｃｄｆ。  
・検知からアクティブ・セット更新の時間＜１．５秒、かつアクティブ・セット・サイズ＝１の場合の、アクティブ・セット更新（ＡＳＵ）の前のサービス提供中のセルと新規セル（サービス提供中／新規）との間のＥｃ／Ｎｏの差分のｐｄｆ／ｃｄｆ。ＡＳＥＴは、アクティブ・セット・サイズのためのアクロニムである。
【００４１】
図６及び図７より、検知からＡＳＵまでの時間＜１．５ｓである場合の、アクティブ・セット更新時にアクティブ・セット・サイズ＝１である場合を観察されたい。  
・近隣セルがサービス提供中のセル（０ｄＢ）に相当する可能性は１０％であり、近隣セルがサービス提供中のセルの３ｄＢ内である可能性は２０％である。  
・ＡＳＵ時の新規セルのＥｃ／Ｎｏ＞−１５ｄＢである可能性＝〜６５％である。
【００４２】
これは、新規セルの識別において更なる遅延が許容されると、アクティブ・セット＝１である場合、リンクは新規セルによって生じる干渉に対して脆弱である。これは、ＣＳ  ｏｖｅｒ  ＨＳ及びＶｏＩＰのようなサービスにおける高いコール・ドロップ率をまねきうる。
【００４３】
図８は、例えば、無線端末のような無線通信装置でありうる通信装置８００を例示している。追加的に、あるいは代替的に、通信装置８００は有線ネットワークに属しうる。通信装置８００は、無線通信端末内で信号分析を実行するための命令群を保持しうるメモリ８０２を含みうる。追加的に、通信装置８００は、メモリ８０２内の命令群及び／あるいは、その他のネットワーク・デバイスから受信された命令群を実行しうるプロセッサ８０４を含みうる。ここでは、命令群は、通信装置８００あるいは関連通信装置を構成するあるいは動作させることに関連しうる。
【００４４】
図９には、多元接続無線通信システム９００が例示されている。多元接続無線通信システム９００は、セル９０２、９０４、９０６を含む複数のセルを含む。態様において、システム９００、すなわちセル９０２、９０４、９０６は、複数のセクタを含むノードＢを含みうる。これら複数のセクタは、セルの一部におけるＵＥとの通信に各々関わっているアンテナを伴うアンテナのグループによって形成されうる。例えば、セル９０２において、アンテナ・グループ９１２、９１４、９１６は、異なるセクタに各々対応しうる。セル９０４において、アンテナ・グループ９１８、９２０、９２２は、異なるセクタに各々対応しうる。セル９０６において、アンテナ・グループ９２４、９２６、９２８は、異なるセクタに各々対応する。セル９０２、９０４、９０６は、例えば、各セル９０２、９０４、９０６からなる１あるいは複数のセクタと通信中であるユーザ機器、すなわちＵＥ、のようないくつかの無線通信デバイスを含みうる。例えば、ＵＥ９３０、９３２は、ノードＢ  ９４２を通信中でありうるし、ＵＥ９３４、９３６は、ノードＢ  ９４４と通信中でありうるし、ＵＥ９３８、９４０は、ノードＢ  ９４６と通信中でありうる。
【００４５】
図１０では、１つの態様に従う多元接続無線通信システムが例示されている。アクセス・ポイント１０００（ＡＰ）は、複数のアンテナ・グループを含んでおり、そのうち１つは１００４と１００６を含み、別ものは１００８と１０１０を含み、更に別のものは１０１２と１０１４を含む。図１０において、各アンテナ・グループとして２つだけのアンテナが示されているが、より多くのあるいは少ないアンテナが各アンテナ・グループとして活用されうる。アクセス端末１０１６（ＡＴ）は、アンテナ１０１２、１０１４と通信している。ここでは、アンテナ１０１２、１０１４は、フォワード・リンク１０２０を介して情報をアクセス端末１０１６へ送信し、リバース・リンク１０１８を介してアクセス端末から情報を受信する。アクセス端末１０２２は、アンテナ１００６、１００８と通信している。ここでは、アンテナ１００６、１００８は、フォワード・リンク１０２６を介して情報をアクセス端末へ送信し、リバース・リンク１０２４を介してアクセス端末１０２２から情報を受信する。ＦＤＤシステムにおいて、通信リンク１０１８、１０２０、１０２４、１０２６は、通信のために異なる周波数を使用できる。例えば、フォワード・リンク１０２０は、リバース・リンク１０１８によって使用されたものとは異なる周波数を使用できる。
【００４６】
アンテナの各グループ、及び／あるいはアンテナが通信するために設計されているエリアは、しばしばアクセス・ポイントのセクタと称される。アンテナ・グループは、アクセス・ポイント１０００によってカバーされたエリアのセクタ内のアクセス端末と通信するように各々設計されている。フォワード・リンク１０２０、１０２６を介した通信において、アクセス・ポイント１０００の送信アンテナは、異なるアクセス端末１０１６、１０２４のためのフォワード・リンクの信号対雑音比を改善するために、ビームフォーミングを活用する。更に、カバレッジに渡ってランダムに散在しているアクセス端末へ送信するためにビームフォーミングを使用するアクセス・ポイントは、単一アンテナによって全てのアクセス端末へ送信するアクセス・ポイントよりも、近隣セル内のアクセス端末に、少ない干渉しかもたらさない。アクセス・ポイントは、端末を通信するために使用される固定局でありうるし、アクセス・ポイント、ノードＢ、あるいはその他いくつかの用語によっても称されうる。アクセス端末は、アクセス端末、ユーザ機器（ＵＥ）、無線通信デバイス、端末、アクセス端末、あるいはその他いくつかの用語によっても呼称されうる。
【００４７】
図１１を参照すると、システム１１００は、ＭＩＭＯシステム１１００における、（アクセス・ポイントとしても知られる）送信機システム２１０、及び（アクセス端末としても知られる）受信機システム１１５０を例示している。送信機システム１１１０において、複数のデータ・ストリームのためのトラフィック・データが、データ・ソース１１１２から、送信（ＴＸ）データ・プロセッサ１１１４へ提供される。各データ・ストリームは、それぞれの送信アンテナを介して送信される。ＴＸデータ・プロセッサ１１１４は、符号化されたデータを提供するために、データ・ストリームのために選択された特定の符号化スキームに基づいて、各データ・ストリームのためのトラフィック・データを、フォーマットし、符号化し、インターリーブする。
【００４８】
各データ・ストリームのための符号化データは、ＯＦＤＭ技術を使用するパイロット・データを用いて多重化されうる。このパイロット・データは一般に、周知の方式で処理される周知のデータ・パターンであり、チャネル応答を推定するために受信機システムにおいて使用されうる。各データ・ストリームのための多重化されたパイロット・データ及び符号化データは、その後、そのデータ・ストリームのために選択された（例えば、ＢＰＳＫ、ＱＳＰＫ、Ｍ−ＰＳＫ、あるいはＭ−ＱＡＭのような）特定の変調スキームに基づいて変調（すなわちシンボル・マップ）され、変調シンボルを提供する。各データ・ストリームのためのデータ・レート、符号化、変調は、プロセッサ１１３０によって実行される命令群によって判定されうる。
【００４９】
全てのデータ・ストリームのための変調シンボルは、その後、ＴＸ  ＭＩＭＯプロセッサ１１２０に提供される。このプロセッサは、（例えば、ＯＦＤＭのための）変調シンボルを更に処理しうる。ＴＸ  ＭＩＭＯプロセッサ１１２０は、その後、ＮＴ個の変調シンボル・ストリームを、ＮＴ個の送信機（ＴＭＴＲ）１１２２ａ乃至１１２２ｔに提供しうる。特定の実施形態において、ＴＸ  ＭＩＭＯプロセッサ１１２０は、データ・ストリームのシンボルとそのシンボルが送信されてくるアンテナとに、ビームフォーミング重みを適用する。
【００５０】
各送信機１１２２は、それぞれのシンボル・ストリームを受信及び処理して、１あるいは複数のアナログ信号を提供し、更にアナログ信号を調整（例えば、増幅、フィルタ、及びアップコンバート）して、ＭＩＭＯチャネルを介した送信に適切な変調信号を提供する。送信機１１２２ａ乃至送信機１１２２ｔからのＮＴ個の変調信号は、その後、ＮＴ個のアンテナ１１２４ａ乃至１１２４ｔからそれぞれ送信される。
【００５１】
受信機システム１１５０において、送信された変調信号は、ＮＲ個のアンテナ１１５２ａ乃至１１５２ｒによって受信され、各アンテナ１１５２によって受信された信号は、それぞれの受信機（ＲＣＶＲ）１１５４ａ乃至１１５４ｒに提供される。各受信機１１５４は、それぞれの受信された信号を調整（例えば、フィルタ、調整、ダウンコンバート）し、調整された信号をデジタル化してサンプルを提供し、更にこのサンプルを処理して、対応する「受信された」シンボル・ストリームを提供する。
【００５２】
ＲＸデータ・プロセッサ１１６０は、その後、特定の受信機処理技術に基づいて、ＮＲ個の受信機１１５４からのＮＲ個の受信されたシンボル・ストリームを受信及び処理し、ＮＴ個の「検知された」シンボル・ストリームを提供する。ＲＸデータ・プロセッサ１１６０は、その後、各検知されたシンボル・ストリームを変調、逆インターリーブ、及び復号し、データ・ストリームのためのトラフィック・データを回復させる。ＲＸデータ・プロセッサ１１６０による処理は、送信機システム１１１０のＴＸ  ＭＩＭＯプロセッサ１１２０及びＴＸ  データ・プロセッサ１１１４によって実行される処理に対する相補的な処理である。
【００５３】
プロセッサ１１７０は、どの事前符号化行列を使用するか（下記で説明される）を定期的に判定する。プロセッサ１１７０は、行列インデックス部及びランク値部を備えるリバース・リンク・メッセージを公式化する。このリバース・リンク・メッセージは、様々な種類の通信リンクに関連する情報及び／あるいは受信されたデータ・ストリームを備えうる。リバース・リンク・メッセージは、その後、ＴＸデータ・プロセッサ１１３８によって処理される。このプロセッサは、データ・ソース１１３６からの複数のデータ・ストリームのためのトラフィック・データを受信する。このトラフィック・データは、変調器１１８０によって変調され、送信機１１５４ａ乃至１１５４ｒによって調整され、送信機システム１１１０によって送り返される。
【００５４】
送信機システム１１１０において、受信機システム１１５０からの変調された信号は、アンテナ１１２４によって受信され、受信機１１２２によって調整され、復号器１１４０によって復号され、ＲＸデータ・プロセッサ１１４２によって処理されて、受信機システム１１５０によって送信されたリバース・リンク・メッセージが抽出される。その後、プロセッサ１１３０は、どの事前符号化行列がビームフォーミング重みを判定するために使用されるかを判定し、その後、抽出されたメッセージを処理する。
【００５５】
図１２を参照すると、無線信号処理に関するシステムが提供されている。このシステムは、相互関係を有する機能ブロックの連続として表されている。これは、プロセッサ、ソフトウェア、ハードウェア、ファームウェア、あるいはそれらの任意の適切な組合せによって実施される機能を表している。
【００５６】
無線通信システム１２００が提供される。このシステム１２００は、ＤＲＸ制御からのステータスをモニタする論理モジュール１２０２と、ＤＲＸ制御からのＤＲＸサイクル・パラメータをサブフレームの数と比較する論理モジュール１２０４を含む。システム１２００は、更に、ＤＲＸ制御に部分的に基づいてシステム・フレーム・ナンバを復号する論理モジュール１２０６を含む。
【００５７】
態様において、論理チャネルは制御チャネルおよびトラフィック・チャネルに分類される。論理制御チャネルは以下を備える。システム制御情報をブロードキャストするためのＤＬチャネルであるブロードキャスト制御チャネル（ＢＣＣＨ）。ページング情報を転送するＤＬチャネルであるページング制御チャネル（ＰＣＣＨ）。１つあるいはいくつかのＭＴＣＨのための制御情報と、マルチメディア・ブロードキャストおよびマルチキャスト・サービス（ＭＢＭＳ）スケジューリングを送信するために使用されるポイント・ツー・マルチポイントＤＬチャネルであるマルチキャスト制御チャネル（ＭＣＣＨ）。一般的に、ＲＲＣ接続の確率後は、このチャネルはＭＢＭＳ（注：旧ＭＣＣＨ＋ＭＳＣＨ）を受信するＵＥによってのみ使用される。専用制御チャネル（ＤＣＣＨ）は専用制御情報を送信するポイント・ツー・ポイント双方向チャネルであり、ＲＲＣ接続を有するＵＥによって使用される。論理トラフィック・チャネルはユーザ情報の転送のための、１つのＵＥのために設けられた、ポイント・ツー・ポイント双方向チャネルである専用トラフィック・チャネル（ＤＴＣＨ）を備える。更に、トラフィック・データを送信するためのポイント・ツー・マルチポイントＤＬチャネルのためのマルチキャスト・トラフィック・チャネル（ＭＴＣＨ）。
【００５８】
伝送チャネルはＤＬおよびＵＬに分類される。ＤＬ伝送チャネルはブロードキャスト・チャネル（ＢＣＨ）、ダウンリンク共有データ・チャネル（ＤＬ−ＳＤＣＨ）、およびページング・チャネル（ＰＣＨ）を備える。ＵＥ節電の支援のためのＰＣＨ（ＤＲＸサイクルはネットワークによってＵＥに示される）は、全セルを通してブロードキャストされ、他の制御／トラヒック・チャネルのために使用されうるＰＨＹリソースにマップされる。ＵＬ伝送チャネルはランダム・アクセス・チャネル（ＲＡＣＨ）、リクエスト・チャネル（ＲＥＱＣＨ）、アップリンク共有データ・チャネル（ＵＬ−ＳＤＣＨ）及び複数のＰＨＹチャネルを備える。ＰＨＹチャネルはＤＬチャネルとＵＬチャネルのセットを備える。
【００５９】
ＤＬ  ＰＨＹチャネルは、例えば、共通パイロット・チャネル（ＣＰＩＣＨ）同期チャネル（ＳＣＨ）共通制御チャネル（ＣＣＣＨ）共有ＤＬ制御チャネル（ＳＤＣＣＨ）マルチキャスト制御チャネル（ＭＣＣＨ）共有ＵＬ割当チャネル（ＳＵＡＣＨ）アクノレッジメント・チャネル（ＡＣＫＣＨ）ＤＬ物理共有データ・チャネル（ＤＬ−ＰＳＤＣＨ）ＵＬ電力制御チャネル（ＵＰＣＣＨ）ページング・インジケータ・チャネル（ＰＩＣＨ）負荷インジケータ・チャネル（ＬＩＣＨ）を備える。
【００６０】
ＵＬ  ＰＨＹチャネルは、例えば、物理ランダム・アクセス・チャネル（ＰＲＡＣＨ）チャネル品質インジケータ・チャネル（ＣＱＩＣＨ）アクノレッジメント・チャネル（ＡＣＫＣＨ）アンテナ・サブセット・インジケータ・チャネル（ＡＳＩＣＨ）共有リクエスト・チャネル（ＳＲＥＱＣＨ）ＵＬ物理共有データ・チャネル（ＵＬ−ＰＳＤＣＨ）ブロードバンド・パイロット・チャネル（ＢＰＩＣＨ）を備える。
【００６１】
その他の用語／構成要素は、３Ｇ  第３世代携帯電話、３ＧＰＰ  第３世代パートナシップ・プロジェクト、ＡＣＬＲ  隣接チャネル漏洩電力比、ＡＣＰＲ  隣接チャネル電力比、ＡＣＳ  隣接チャネル選択性、ＡＤＳ  アドバンスト設計システム、ＡＭＣ  適応変調符号化、Ａ−ＭＰＲ  追加最大電力低減、ＡＲＱ  自動再送要求、ＢＣＣＨ  ブロードキャスト制御チャネル、ＢＴＳ  ベース・トランシーバ局、ＣＤＤ  サイクリック遅延ダイバーシティ、ＣＣＤＦ  相補累積分布関数、ＣＤＭＡ  符号分割多元接続、ＣＦＩ  制御フォーマット・インジケータ、Ｃｏ−ＭＩＭＯ  連携ＭＩＭＯ、ＣＰ  サイクリック・プレフィックス、ＣＰＩＣＨ  共通パイロット・チャネル、ＣＰＲＩ  共通公共無線インタフェース、ＣＱＩ  チャネル品質インジケータ、ＣＲＣ  サイクリック冗長性チェック、ＤＣＩ  ダウンリンク制御インジケータ、ＤＦＴ  離散フーリエ変換、ＤＦＴ−ＳＯＦＤＭ  離散フーリエ変換拡散ＯＦＤＭ、ＤＬ  ダウンリンク（基地局から加入者への送信）、ＤＬ−ＳＣＨ  ダウンリンク共有チャネル、Ｄ−ＰＨＹ  ５００Ｍｂｐｓ  物理レイヤ、ＤＳＰ  デジタル信号処理、ＤＴ  デベロップメント・ツールセット、ＤＶＳＡ  デジタル・ベクトル信号分析、ＥＤＡ  コンピュータによる設計の自動化、Ｅ−ＤＣＨ  強化専用チャネル、Ｅ−ＵＴＲＡＮ  Ｅｖｏｌｅｖｅｄ  ＵＭＴＳ地上無線アクセス・ネットワーク、ｅＭＢＭＳ  Ｅｖｏｌｖｅｄ  マルチメディア・ブロードキャスト・マルチキャスト・サービス、ｅＮＢ  ＥｖｏｌｖｅｄノードＢ、ＥＰＣ  Ｅｖｏｌｖｅｄパケット・コア、ＥＰＲＥ  リソース要素毎のエネルギー、ＥＴＳＩ  欧州通信規格協会、Ｅ−ＵＴＲＡ  Ｅｖｏｌｖｅｄ  ＵＴＲＡ、Ｅ−ＵＴＲＡＮ  Ｅｖｏｌｖｅｄ  ＵＴＲＡＮ、ＥＶＭ  エラー・ベクトル・マグニチュード、ＦＤＤ  周波数分割二重通信、を含む。
【００６２】
その他の用語は、ＦＦＴ  高速フーリエ変換、ＦＲＣ  固定基準チャネル、ＦＳ１  フレーム・ストラクチャ・タイプ１、ＦＳ２  フレーム・ストラクチャ・タイプ２、ＧＳＭ  モバイル通信用グローバル・システム、ＨＡＲＱ  ハイブリッド自動再送要求、ＨＤＬ  ハードウェア記述言語、ＨＩ  ＨＡＲＱインジケータ、ＨＳＤＰＡ  高速ダウンリンク・パケット・アクセス、ＨＳＰＡ  高速パケット・アクセスＨＳＵＰＡ  高速アップリンク・パケット・アクセス、ＩＦＦＴ  逆ＦＦＴ、ＩＯＴ  相互運用性テスト、ＩＰ  インターネット・プロトコル、ＬＯ  ローカル発振器、ＬＴＥ  ロング・ターム・エボリューション、ＭＡＣ  媒体アクセス制御、ＭＢＭＳ  マルチメディア・ブロードキャスト・マルチキャスト・サービス、ＭＢＳＦＮ  単一周波数ネットワークを介したマルチキャスト／ブロードキャスト、ＭＣＨ  マルチキャスト・チャネル、ＭＩＭＯ  複数入力複数出力、ＭＩＳＯ  複数入力単一出力、ＭＭＥ  移動管理エンティティ、ＭＯＰ  最大出力電力、ＭＰＲ  最大電力低減、ＭＵ−ＭＩＳＯ  複数ユーザＭＩＭＯ、ＮＡＳ  非アクセス層、ＯＢＳＡＩ  オープン基地局アーキテクチャ・インタフェース、ＯＦＤＭ  直交周波数分割多重方式、ＯＦＤＭＡ  直交周波数分割多元接続、ＰＡＰＲ  ピーク対平均電力比、ＰＡＲ  ピーク対平均比、ＰＢＣＨ  物理ブロードキャスト・チャネル、Ｐ−ＣＣＰＣＨ  プライマリ共通制御物理チャネル、ＰＣＦＩＣＨ  物理制御フォーマット・インジケータ・チャネル、ＰＣＨ  ページング・チャネル、ＰＤＣＣＨ  物理ダウンリンク制御チャネル、ＰＤＣＨ  パケット・データ収束プロトコル、ＰＤＳＣＨ  物理ダウンリンク共有チャネル、ＰＨＩＣＨ  物理ハイブリッドＡＲＱインジケータ・チャネル、ＰＨＹ  物理レイヤ、ＰＲＡＣＨ  物理ランダム・アクセス・チャネル、ＰＭＣＨ  物理マルチキャスト・チャネル、ＰＭＩ  事前符号化行列インジケータ、Ｐ−ＳＣＨ  プライマリ同期信号、ＰＵＣＣＨ  物理アップリンク制御チャネル、ＰＵＳＣＨ  物理アップリンク共有チャネルをも含む。
【００６３】
その他の用語は、ＱＡＭ  直交角位相振幅変調、ＱＰＳＫ  位相シフトキーイング、ＲＡＣＨ  ランダム・アクセス・チャネル、ＲＡＴ  無線接続技術、ＲＢ  リソース・ブロック、ＲＦ  無線周波数、ＲＦＤＥ  ＲＦ設計環境、ＲＬＣ  無線リンク制御、ＲＭＣ  基準測定チャネル、ＲＮＣ  無線ネットワーク・コントローラ、ＲＲＣ  無線リソース制御、ＲＲＭ  無線リソース管理、ＲＳ  基準信号、ＲＳＣＰ  受信信号符号電力、ＲＳＲＰ  基準信号受信電力ＲＳＲＱ  基準信号受信品質、ＲＳＳＩ  受信信号強度インジケータ、ＳＡＥ  システム・アーキテクチャ・エボリューション、ＳＡＰ  サービス・アクセス・ポイント、ＳＣ−ＦＤＭＡ  単一キャリア周波数分割多元接続、ＳＦＢＣ  空間周波数ブロック符号化、Ｓ−ＧＷ  サービス提供ゲートウェイ、ＳＩＭＯ  単一入力複数出力、ＳＩＳＯ  単一入力単一出力、ＳＮＲ  信号対雑音比、ＳＲＳ  サウンド基準信号、Ｓ−ＳＣＨ  二次同期信号、ＳＵ−ＭＩＭＯ  単一ユーザＭＩＭＯ、ＴＤＤ  時分割二重通信、ＴＤＭＡ  時分割多元接続、ＴＲ  技術的レポート、ＴｒＣＨ  伝送チャネル、ＴＳ  技術的仕様、ＴＴＡ  電気通信技術協会、ＴＴＩ  伝送時間インターバル、ＵＣＩ  アップリンク制御インジケータ、ＵＥ  ユーザ機器、ＵＬ  アップリンク（加入者から基地局への送信）、ＵＬ−ＳＣＨ  アップリンク共有チャネル、ＵＭＢ  ウルトラモバイル・ブロードバンド、ＵＭＴＳ  世界モバイル電気通信システムＵＴＲＡ  世界地上無線接続、ＵＴＲＡＮ  世界地上無線接続ネットワーク、ＶＳＡ  ベクトル信号分析器、Ｗ−ＣＤＭＡ  広帯域符号分割多元接続を含む。
【００６４】
様々な態様が、端末に関して本明細書において説明されているということが留意される。端末は、例えば、システム、ユーザ・デバイス、加入者ユニット、加入者局、モバイル局、モバイル・デバイス、遠隔局、遠隔端末、アクセス端末、ユーザ端末、ユーザ・エージェント、あるいはユーザ機器、とも称されうる。ユーザ・デバイスは、セルラ電話や、コードレス電話や、セッション初期化プロトコル電話（ＳＩＰ）や、無線ローカル・ループ（ＷＬＬ）局や、ＰＤＡや、無線通信機能を有するハンドヘルド・デバイスや、端末内のモジュールや、（例えば、ＰＣＭＣＩＡカードのような）ホスト・デバイスに付与されうる、あるいはホスト・デバイス内に統合されうるカードや、無線モデムに接続されたその他の処理デバイスでありうる。
【００６５】
更に、権利主張された主題の態様は、権利主張された主題の様々な態様を実施するように、コンピュータ又はコンピューティング構成要素を制御するソフトウェア、ファームウェア、ハードウェア、あるいはこれらの任意の組合せを生成するために、標準的なプログラミング技術及び／あるいはエンジニアリング技術を用いた方法、装置、あるいは製造物品として実現されうる。本明細書で使用される「製造物品」という用語は、任意のコンピュータ読取可能デバイス、キャリア、あるいは媒体からアクセス可能なコンピュータ・プログラムを含むことが意図される。例えば、コンピュータ読取可能媒体は、（例えば、ハードディスク、フロッピー（登録商標）・ディスク、磁気ストリップなどのような）磁気ストレージ・デバイス、（例えば、コンパクト・ディスク（ＣＤ）やデジタル・バーサタイル・ディスク（ＤＶＤ）などのような）光学ディスク、スマート・カード、（例えば、カード、スティック、キー・ドライブのような）フラッシュ・メモリ・デバイスを含みうるが、それらに限定されない。加えて、音声メールを送信及び受信する際、あるいはセルラ・ネットワークのようなネットワークに接続する際に使用されるようなコンピュータ読取可能電子データを搬送するために、搬送波が使用されうるということが認識されるべきである。もちろん、本明細書で説明された内容の範囲あるいは精神から逸脱することなく、この構成に対する多くの変形例がなされうるということを、当業者は認識するだろう。
【００６６】
上記で説明された内容は、１あるいは複数の実施形態の実例を含む。もちろん、前述された実施形態を説明するために、構成要素あるいは方法体系の考えうる組合せの全てをそれぞれ説明することは不可能であるが、様々な実施形態における多くの更なる組合せ及び入れ替えが可能であるということを当業者は認識しうる。従って、説明された実施形態は、このような添付された請求項の精神及び範囲内に入る代替例、変形例、及びバリエーションの全てを包含するよう意図されている。更に、用語「含む」が、詳細説明及び請求項の何れかで使用されている場合、この用語は、用語「備える」が請求項において遷移語として使用されている場合に解釈されるものと同様に、包括的であることが意図される。
【図１】
2011511586.tif 000006
【図２】
2011511586.tif 000007
【図３】
2011511586.tif 000008
【図４】
2011511586.tif 000009
【図５】
2011511586.tif 000010
【図６】
2011511586.tif 000011
【図７】
2011511586.tif 000012
【図８】
2011511586.tif 000013
【図９】
2011511586.tif 000014
【図１０】
2011511586.tif 000015
【図１１】
2011511586.tif 000016
【図１２】
2011511586.tif 000017
【国際調査報告】
2011511586.tif 000018
2011511586.tif 000019
2011511586.tif 000020
2011511586.tif 000021
2011511586.tif 000022